(57)【特許請求の範囲】
【請求項１】
映像信号および制御信号を無線伝送する複数の送信装置と、該送信装置から伝送される信号を受信して表示する複数の受信装置とで構成される無線伝送システムであって、
前記無線伝送システムは、
映像信号および制御信号を無線伝送する伝送手段と、
利用可能なチャンネルの既存信号の受信信号レベルを検出する検出手段と、
前記検出手段で検出した受信信号のレベルを用いて、新たな送信装置および受信装置間の伝送に利用できる可能性が発生するチャンネルを推定する推定手段と、
前記推定手段で推定したチャンネルを利用している既存の送信装置および受信装置から、それぞれ送信レベルおよび受信レベルを取得する信号レベル取得手段と、
前記取得した送信レベルおよび受信レベルを用いて、前記新たな送信装置および受信装置間の伝送に前記推定したチャンネルを利用可能か判定する判定手段とを有し、
前記判定手段で利用可能と判定された際に、前記既存の送信装置の送信レベルを低減させ、前記新たな送信装置および受信装置間の伝送を開始することを特徴とする無線伝送システム。
【請求項２】
請求項１に記載の無線伝送システムであって、前記推定手段は、前記検出手段で検出した前記新たな受信装置における前記既存信号の受信信号レベルと、前記既存の送信装置における送信出力の制御範囲の情報と、前記新たな受信装置における受信可能な受信信号レベルの情報とを用いて、推定を行うことを特徴とする無線伝送システム。
【請求項３】
請求項１に記載の無線伝送システムであって、前記判定手段は、前記検出手段で検出した前記新たな受信装置における前記既存信号の受信信号レベルと、前記既存の送信装置における送信出力の制御範囲の情報と、前記新たな受信装置における受信可能な受信信号レベルの情報と、前記信号レベル取得手段で取得した前記既存の送信装置の送信レベルと、前記信号レベル取得手段で取得した前記既存の受信装置の受信レベルとを用いて判定を行うことを特徴とする無線伝送システム。
【請求項４】
請求項１に記載の無線伝送システムであって、前記信号レベル取得手段は、前記伝送手段による通信を用いて、前記推定手段で推定したチャンネルを利用している送信装置および受信装置から、それぞれ送信レベルおよび受信レベルを取得することを特徴とする無線伝送システム。
【請求項５】
請求項１、２または３のいずれかに記載の無線伝送システムであって、
前記新たな送信装置および受信装置間の伝送を開始した後に、前記判定手段で判定されたチャンネルを利用している受信装置の受信レベルを取得し、取得した信号レベルが閾値以下の場合は前記新たな送信装置および受信装置間の伝送を停止することを特徴とする無線伝送システム。
【請求項６】
請求項１乃至５のいずれかに記載の無線伝送システムであって、
前記推定手段において、前記新たな送信装置および受信装置間の伝送に利用できる可能性が発生するチャンネルが存在しないと推定した場合、または、前記判定手段において、前記新たな送信装置および受信装置間の伝送に利用できるチャンネルが存在しないと判定した場合、または、前記新たな送信装置および受信装置間の伝送を開始した後に、前記判定手段で判定されたチャンネルを利用している受信装置の受信レベルを取得し、取得した信号レベルが閾値以下の場合は、使用可能なチャンネルが存在しない旨を前記受信装置において表示することを特徴とする無線伝送システム。
【請求項７】
送信装置から映像信号を受信する受信手段と、
他の装置と制御信号の通信を行う通信手段と、
前記受信手段と前記通信手段とを制御する制御手段とを備え、
前記制御手段は、複数のチャンネルの信号受信レベルを検出し、前記信号受信レベルに基づいて、前記他の装置における信号レベルを低下させれば利用可能なチャンネルを推定し、前記推定したチャンネルを用いて、前記送信装置から前記映像信号を受信するように制御することを特徴とする映像信号受信装置。
【発明の詳細な説明】
【技術分野】
【０００１】
本発明は、送信装置と受信装置の間で映像信号等の大容量データを無線伝送するシステムに関する。
【背景技術】
【０００２】
近年、無線通信技術の発展に伴い、多くの無線通信システムが提案されている。その一例として、伝送速度を大幅に向上させたり、映像信号の圧縮方法を工夫することによって、従来は困難であった高精細な映像信号を無線伝送するシステムも開発されている。特許文献１や非特許文献１には、いわゆる高精細度テレビ（HDTV）の映像信号を無線伝送する技術が開示されている。
【先行技術文献】
【特許文献】
【０００３】
【特許文献１】特表２００７−５０７１４７号公報
【非特許文献】
【０００４】
【非特許文献１】”Enabling wireless uncompressed HDTV connectivity with a unique video-modem approach: A technical overview”, AMIMON Ltd.
【発明の概要】
【発明が解決しようとする課題】
【０００５】
特許文献１や非特許文献１の技術では、HDTVの１．５Ｇｂｐｓ以上にも上る非圧縮データを伝送するために、専有して伝送に使用できるチャンネルを確保する必要がある。
【０００６】
免許不要な帯域を用いることが一般家庭での使用には必須であるが、免許不要で使用可能な帯域およびチャンネル数は限られており、無線LANや映像無線伝送システムの普及とともに、チャンネルの使用率が上がり専有可能なチャンネルを見つけることが困難になることが予想される。そこで、本発明は、上記課題を鑑み、専有チャンネルを必要とする無線伝送システムのためのチャンネルを確保することを目的とする。
【課題を解決するための手段】
【０００７】
上記目的を達成するために、例えば、特許請求の範囲に記載の構成を採用する。
【発明の効果】
【０００８】
本発明によれば、専有チャンネルを必要とする伝送システムにおいて、好適にチャンネルを確保することができる。
【図面の簡単な説明】
【０００９】
【図１】本実施例の無線伝送システムの一例を示すブロック図である。
【図２】本実施例の無線伝送システムの配置の一例を示す図である。
【図３】本実施例の無線伝送システムにおける信号レベルの一例を示す図である。
【図４】本実施例の無線伝送システムにおける処理の一例を示すフローチャートである。
【図５】本実施例の無線伝送システムにおける処理の一例を示すフローチャートである。
【図６】送信信号の変動についての説明図である。
【発明を実施するための形態】
【００１０】
以下、図面を参照しながら本発明の実施形態を説明する。図面の記載において、同一の部分には同一の符号を付している。
【実施例１】
【００１１】
図１は、本実施例における装置の構成例であり、１１は送信装置であって、映像信号源１１１、映像信号処理部１１２、伝送信号処理部１１３、変復調選局部１１４、受信用増幅部１１５、送信用増幅部１１６、アンテナ１１７、制御部１１８、ネットワークインタフェース部１１９とで構成されている。
【００１２】
一方、１２は受信装置であって、１２１の映像表示部、１２２の映像信号処理部、１２３の伝送信号処理部、１２４の変復調選局部、１２５の受信用増幅部、１２６の送信用増幅部、１２７のアンテナ、１２８の制御部、１２９のネットワークインタフェース部とで構成されている。
【００１３】
まず送信装置１１の動作について説明する。
【００１４】
送信装置１１内の映像信号源１１１は、例えば放送用チューナーや映像信号の記録媒体であって、何らかの映像信号を出力する手段である。映像信号源１１１から出力される映像信号は、映像処理部１１２に入力され、映像信号のフォーマットを変更したり、画質を調整したり、映像に何らかのOSD（On Screen Display）表示を追加したりといった処理が施される。映像処理部１１２から出力される映像信号は伝送信号処理部１１３に入力され、映像信号を無線伝送するために、いわゆるMAC（Media Access Control）およびBB(Baseband)層の信号処理が施される。
【００１５】
また、変復調選局部１１４では、伝送信号処理部１１３で処理された伝送信号に対して無線伝送のための変調処理を行い、さらに伝送に使用するチャンネルの周波数帯に周波数変換を行って変調信号を生成する。生成された変調信号は、送信用増幅部１１６において所定の信号レベルに増幅され、アンテナ１１７から受信装置１２に対し送信される。この時、送信される変調信号のレベルは、制御部１１８により送信用増幅部１１６を制御することにより変化する。また送信されるのは変調した映像信号だけではなく、受信機１２に対する制御信号も、制御部１１８から伝送信号処理部１１３、変復調選局部１１４、送信増幅部１１６およびアンテナ１１７を経由して送信することができる。制御信号を送信するチャンネルは映像信号を変調し伝送するチャンネルと同一であり、映像信号と時分割または重畳して送信される。
【００１６】
一方、アンテナ１１７は受信アンテナも兼ねており、受信装置１２から送信される変調信号を受信し、受信用増幅部１１５で増幅を行い、変復調選局部１１４に入力する。変復調選局部１１４では、変調信号が伝送されているチャンネルを選局し、復調処理を行うことにより、受信装置１２から送信された伝送信号を復調する。さらに、伝送信号処理部１１３は復調された信号に信号処理を施すことにより、受信装置１２が送信した制御信号を抽出し、制御部１１８に入力する。
【００１７】
制御部１１８は受信装置１２が伝送した制御信号を伝送信号処理部１１３から取得するとともに、映像信号源１１１、映像信号処理部１１２、伝送信号処理部１１３、変復調選局部１１４、受信用増幅部１１５、送信用増幅部１１６の制御を行う。映像信号の伝送を開始するに当たっては、伝送信号処理部１１３と変復調選局部１１４に対し、各チャンネルの状態を検出し、受信装置１１から接続要求が届いていないか調査するよう制御を行う。接続要求が届いている場合は、そのチャンネルを映像信号の伝送に用いる。
【００１８】
さらに、制御部１１８は、ネットワークインタフェース部１１９を通じて他の送信装置および受信装置と制御信号の通信を行うことができる。
【００１９】
このように、送信装置１１は、映像信号に処理を加え所定のチャンネルを用いて無線伝送するとともに、受信装置１２から無線伝送された制御信号を受信する機能を有する。なお、本発明においては、高画質な映像を伝送するために、上記伝送信号はチャンネルを専有することが要求されるものとする。
【００２０】
続いて受信装置１２の動作について説明する。
【００２１】
アンテナ１２７は送信装置１１から伝送される変調信号を受信し、受信用増幅部１２５で増幅を行い、変復調選局部１２４に入力する。変復調選局部１２４では、伝送に使用されているチャンネルの周波数から復調処理を行う周波数に周波数変換を行い、さらに復調処理を行って伝送信号処理部１２３に入力する。続いて伝送信号処理部１２３において、MAC（Media Access Control）およびBB(Baseband)層の信号処理が施され、生成された映像信号を映像処理部１２２に入力する。映像処理部１２２は、映像信号のフォーマットを変更したり、画質を調整したり、映像に何らかのOSD（On Screen Display）表示を追加したりといった処理を行う。表示部１２１は映像処理部１２２で処理が施された映像信号を表示する。
【００２２】
また、受信装置１２が受信するのは変調した映像信号だけではなく、送信装置１１から送信された制御信号も、アンテナ１２７、受信用増幅部１２５、変復調選局部１２４および伝送信号処理部１２３を経由して制御部１２８が取得することができる。
【００２３】
さらに、変調した映像信号を受信するだけではなく、送信装置１１に対する制御信号も、制御部１２８から伝送信号処理部１２３に入力し伝送用信号処理を行い、変復調部１２４で変調とチャンネル周波数への周波数変換を行い、送信増幅部１２６で所定の信号レベルに増幅し、アンテナ１２７から送信することができる。
【００２４】
制御部１２８は、送信装置１１に伝送する制御信号を生成するとともに、映像表示部１２１、映像信号処理部１２２、伝送信号処理部１２３、変復調選局部１２４、受信用増幅部１２５、送信用増幅部１２６の制御を行う。
【００２５】
映像信号の伝送を開始するに当たっては、復調用増幅部１２５と変復調選局部１２４に対し、各チャンネルの既存の信号レベル情報を検出するよう制御を行う。各チャンネルの信号レベルは制御部１２８に通知され、制御部１２８は通信に利用されていないチャンネルがある場合には、そのチャンネルを選択し、そのチャンネルを用いて送信装置１１に対し接続要求を送信するように制御を行う。
【００２６】
また、制御部１２８は、後述するように、全てのチャンネルが利用されている場合などには、他の装置における既存信号のレベルを低下させれば新たに伝送を行うことが可能なチャンネルを推定し、推定したチャンネルを利用している装置から信号レベルを取得し、これに基づいて、推定したチャンネルを利用可能か否かを判定する制御を行う。
【００２７】
なお、制御部１２８はネットワークインタフェース部１２９を通じて他の送信装置および受信装置と制御信号の通信を行うことができる。
【００２８】
続いて、複数の送信装置と受信装置を同時使用する場合の環境について図２を用いて説明する。
【００２９】
図２は建物の見取り図を示しており、部屋２１、２２，２３，２４および２５に、それぞれ送信装置２１１と受信装置２１２、送信装置２２１と受信装置２２２、送信装置２３１と受信装置２３２、送信装置２４１と受信装置２４２、送信装置２５１と受信装置２５２が設置されている。各送信装置および各受信装置は、それぞれ上記説明した送信装置１１および受信装置１２と同一のものである。
【００３０】
また、図には示していないが、全ての送信装置のネットワークインタフェース１１９および全ての受信装置のネットワークインタフェース１２９は、ネットワークハブに接続されており、互いに制御信号の通信を行うことが可能である。
【００３１】
また、送信装置および受信装置が使用可能なチャンネルは４つと仮定する。例えば、日本国内において5GHz帯で免許不要なW52バンドを用い、20MHz幅伝送に対応した送受信装置の場合は、使用可能なチャンネルはチャンネル３６、４０、４４および４８の４つであり、上記条件と同一となる。以下、5GHz帯のチャンネル３６,４０,４４,４８が使用可能なチャンネルの場合の制御を説明する。
【００３２】
図２において、他に３６,４０,４４,４８チャンネルを使用している無線機器は無く、部屋２１から順番に送信装置と受信装置を起動していくものとする。周波数の低いチャンネルからチャンネルを確保していくと仮定すると、部屋２１の送信装置２１１および受信装置２１２が３６チャンネルを、部屋２２の送信装置２２１および受信装置２２２が４０チャンネルを、部屋２３の送信装置２３１および受信装置２３２が４４チャンネルを、部屋２４の送信装置２４１および受信装置２４２がチャンネル４８を使用する。
【００３３】
部屋２５の送信装置２５１および受信装置２５２が通信を行う場合、使用可能な４チャンネルが既に全て使用されているので、何れかの部屋の送信装置および受信装置が用いているのと同一のチャンネルを再使用する必要がある。しかしながら、部屋間の距離や壁の材質等の条件により、使用している４チャンネルの信号が全て部屋２５に到達し、何れのチャンネルも再使用不可能な状況が発生することが考えられる。
【００３４】
上記のチャンネル再使用が不可能な状況について、図３を用いて説明する。
【００３５】
図３において、横軸はチャンネルを示し、縦軸は変調信号の信号レベルを示す。送信装置２１１が送信したチャンネル３６の変調信号を受信装置２５２が受信した信号を３１で示している。同様に、送信装置２２１が送信したチャンネル４０の変調信号を受信装置２５２が受信した信号が３２、送信装置２３１が送信したチャンネル４４の変調信号を受信装置２５２が受信した信号３３、送信装置２４１が送信したチャンネル４８の変調信号を受信装置２５２が受信した信号が３４である。送信装置２１１、２２１，２３１および２４１が同じ送信レベルで送信していると仮定すると、各送信装置と受信装置２５２との位置関係により、送信装置２１１が使用しているチャンネル３６の信号レベルが一番小さく、送信装置２３４が使用しているチャンネル４８の信号レベルが一番大きくなる。
【００３６】
変調信号を伝送するためには、そのチャンネルに存在する既存信号のレベルがある一定値以下でなければいけないが、その信号レベル閾値を３００とした場合、信号３１、３２，３３，３４は全てそのレベルを上回っている。したがって、このような状況においては、部屋２５の送信装置２５１および受信装置２５２が使用可能なチャンネルが存在せず、伝送を開始することができない。
【００３７】
このような状況において、送信装置２５１および受信装置２５２が伝送可能なチャンネルを確保するために、送信装置および受信装置が行う動作を説明する。以下、図２および３に示した状況における、受信装置２５１および送信装置２５２の制御について、図４に示すフローチャートを参照しながら説明する。
【００３８】
まず、ステップ４０１において、受信装置２５２における各チャンネルの既存の変調信号の受信レベルを取得する。既に説明したように、復調用増幅部１２５と変復調選局部１２４から、各チャンネルの信号レベルを取得することが可能である。
【００３９】
次にステップ４０２において、新たに使用可能なチャンネルがあるかどうかを判定する。既存の信号のレベルが、図３における信号レベル閾値３００以下の場合は使用可能なチャンネルとみなし、使用可能なチャンネルが存在する場合はステップ４０３に進む。全てのチャンネルが信号レベル３００より大きい場合、すなわち図３に示した状態であった場合は、ステップ４０５に進む。
【００４０】
ステップ４０３に進んだ場合は、送信に用いるチャンネルを決定する。使用可能なチャンネルが複数存在する場合はその中から任意のチャンネルを選択すればよい。続いてステップ４０４において、決定したチャンネルを用いて、受信装置２５２は送信装置２５１に対して接続要求を制御信号として送信し、送信装置２５１は同じチャンネルを用いて、映像信号に対して伝送処理および変調処理を行い、変調信号として受信装置２５２に対し送信を開始する。
【００４１】
ステップ４０５に進んだ場合は、各チャンネルの既存信号のレベルを低下させれば、新たな伝送に利用できる可能性が発生するチャンネルを推定する。推定には、既存信号の受信レベルと、送信装置における送信出力の制御範囲情報と、受信装置が受信可能な受信信号レベル情報を用いる。
【００４２】
既に説明したように、送信装置が送信する変調信号のレベルは、送信用増幅部１１６により変化させることができる。そこで、他の送信装置の送信レベルを下げることにより、受信装置２５２における受信レベルを閾値３００に下げることができないかを推定する。図３において、３７は送信装置２１１の送信信号であり、信号レベルは３３０である。送信用増幅部１１６を制御することによる送信レベル減少幅の最大限を３３１とすると、送信レベル減少後の送信信号は３８となり、送信レベルはレベル３４０に減少する。一方、受信装置２５２の受信状態を考えると、送信装置２１１が信号３７を送信している時は信号３１、その信号レベルは３１０であり、信号３８を送信している時は信号３６、その信号レベルは３２０である。受信装置２５２の受信レベルが送信装置２１１の送信レベルに比例すると考えると、受信装置におけるレベル減少分３３０は３３１と同等となる。この時、信号レベル３２０は閾値３００よりもレベルが小さいため、チャンネル３６を用いて新たな伝送を開始可能と推定することができる。
【００４３】
以上を整理すると、受信装置２５２の受信レベルから送信レベル減少最大値３３１を差し引いた値を算出し、算出値が閾値３００より小さいチャンネルが存在すればステップ４０６に進み、そのようなチャンネルが一つも存在しない場合はステップ４１６に進む。
【００４４】
ステップ４０６に進んだ場合は、既存信号の信号レベルが最も小さいチャンネルを決定する。図３においてはチャンネル３６が該当する。
【００４５】
次にステップ４０７において、ネットワークインタフェース１１９、１２９経由で、各送信装置および受信装置に対し、ステップ４０６で決定した最小信号レベルチャンネルを使用しているかどうかを問い合わせる。図２および３の例の場合、信号レベルが最小のチャンネルは３６であり、チャンネルを使用しているかどうか、送信装置２１１、２２１、２２３、２４１および受信装置２１２、２２２，２３２，２４２に問い合わせを行う。
【００４６】
次にステップ４０８において、問い合わせた（推定した）チャンネルを使用している送信装置および受信装置を確定する。すなわち、送信装置２１１、２２１、２２３、２４１および受信装置２１２、２２２，２３２，２４２の回答により、送信装置２１１および受信装置２２１がチャンネル３６を使用していると判定できる。
【００４７】
なお、ステップ４０７において、最小信号レベルチャンネルの変調信号の変調および伝送信号処理を行い、送信装置および受信装置のIDを取得することで送信装置および受信装置を一意に決定することも可能である。その場合はステップ４０８をスキップすればよい。
【００４８】
次にステップ４０９において、上記送信装置における送信レベルおよび受信装置における受信レベルの値を取得する。すなわち、送信装置２１１に対し送信レベルを問い合わせ、送信装置２１１は送信用増幅部１１６で設定している送信レベルを回答する。すなわち、送信装置２１１は図３におけるレベル３３０を回答する。同様に、受信装置２１２に対し受信レベルを問い合わせ、受信装置２１２は送信用増幅部１２５および選局および変復調部で検知した受信レベルを回答する。図３において、受信装置２１２の受信信号を３９とすると、受信装置２１２は信号レベル３５０を回答する。
【００４９】
続いてステップ４１０において、実際に送信装置２１１が送信レベルを下げ、問い合わせた（推定した）チャンネルを利用することが可能か判定する。判定には、既存信号の受信レベルと、送信装置における送信出力の制御範囲情報と、受信装置が受信可能な受信信号レベル情報と、送信装置の送信レベルと、受信装置の受信レベルを用いる。
【００５０】
例えば、送信装置２１１が既に送信レベルをある程度下げるように制御していた場合は、送信レベル減少最大値３３１の大きさだけ送信レベルを下げることができない。そこで、ステップ４０９で取得した信号レベルを用いて、送信レベルの減少幅が十分かどうか判定する。送信装置の最大送信レベルをPmax,信号３７に相当する実際の送信装置の送信レベルをPt,信号３１に相当する受信装置の受信レベルをRr, 送信レベル減少最大値３３１の値をPd、閾値３００の値をPthとすると、判定式は式１で表すことができる。
Pr - Pd + (Pmax - Pt) ＜ Pth・・・式１
また送信レベルを減少させた結果、受信装置２１２の受信レベルが閾値以下となっては受信装置２１２が受信不可能となってしまう。そこで、信号３９に相当する受信装置の受信レベルをRr2とし、式２で示す式を用いて、受信装置２１２の受信レベルが十分かどうかを判定する。
Pr2 - Pd + (Pmax - Pt) ＞ Pth・・・式２
式１および式２が成立する場合は送信レベルを下げることが可能であり、ステップ４１１に進む。式１または式２のいずれかが成立しない場合は送信レベルを下げることが不可能と判定し、ステップ４１６に進む。
【００５１】
次にステップ４１１において、送信装置２１１に対し送信レベルを下げるように、制御部１２８がネットワークインタフェース１２９を経由して制御を行う。
【００５２】
続いてステップ４１２において、ステップ４０４と同様に送信を開始する。
【００５３】
次にステップ４１３において、送信レベルを下げた送信装置２１１の変調信号を受信している受信装置２１２の受信状態を確認する。ネットワークインタフェース１２９を経由して受信装置２１２の受信レベルすなわち３６０またはSN（Signal to Noise）比を取得し、受信レベルやSN比が所定値より悪い場合は、新たに伝送を開始した送信装置２５１の変調信号が妨害になっているとみなし、ステップ４１５に進み送信装置２５１の送信を停止する。
【００５４】
一方、ステップ４１３において受信レベルおよびSN比に問題ない場合は、本実施例による制御は完了する。この場合は、既存の全ての送信装置及び受信装置が映像伝送を行えていることは言うまでもない。
【００５５】
ステップ４１５に進んだ後は、ステップ４１６の処理を行う。ステップ４１６においては、新たに伝送を開始するチャンネルが存在しないため、「無線伝送のための空きチャンネルがありません」等の表示を映像信号処理部１２２で作成し、映像表示部１２１で表示を行う。
上記制御を行った場合の、送信信号の変動について図６を用いて説明する。図６において、横軸は時間を、縦軸は送信装置２１１および２５１が出力する変調信号の送信レベル、６０１が送信装置２１１の出力、６０２が送信装置２５１の出力を示す。初期状態である時間ｔ０においては、送信装置２１１は信号レベル３３０で送信を行い、送信装置２５１は停止状態である。時間ｔ１において、送信装置２５１が起動し、図４に示した制御が開始されたものとする。
ステップＳ４０２で使用可能なチャンネルが存在した場合、またはステップＳ４０５でレベル減少で送信開始できるチャンネルが存在しなかった場合、またはステップＳ４１０で送信レベルが下げられない場合、のいずれかの判定を行った場合は、送信装置２１１の信号レベルは変更されず、６１０に示す状態のように信号レベルは３３０のままで変化しない。
一方、ステップ４１０で信号レベルが下げられると判定された場合は、ステップＳ４１１で送信装置２１１の信号レベルを下げる制御を行う。図６においては、時間ｔ２においてステップ４１１が実行され、送信装置２１１の送信する信号レベルが３４０に低下する。続いて、時間ｔ３においてステップ４１２が実行され、送信装置２５１が信号レベル６００で送信を開始する。
このように、同一チャンネルを用いて複数の送信装置が送信を行う場合、既に送信を行っている送信装置２１１の信号レベルを低下させてから、新たな送信装置２５１が送信を開始する。
なお、図６において信号レベル６００は一つの例として示したものであり、信号レベル６００は送信装置２５１が独自に決定するため、信号レベル３３０および３４０との相対レベルは図６に示した関係に限定されるものではない。
【００５６】
上記説明した本実施例によれば、チャンネルが全て他の既存装置によって使用されている場合においても、送信レベルを下げることでそのチャンネルを再利用することが可能な送信装置を判定し送信レベルを制御することにより、新たに追加する送信装置および受信装置のための伝送チャンネルを確保し、送信装置から送信された変調信号を受信装置が受信し映像信号を表示することができる。
【実施例２】
【００５７】
続いて、実施例１とは異なる制御方法について、図面を参照しながら説明する。
【００５８】
本実施例において、実施例１と説明が重複する部分については説明を省略する。
【００５９】
図５は、図１におけるネットワークインタフェース１１９および１２９が接続されていない場合における制御を示す。図５において、図４と同一の符号は同一の制御を示している。
【００６０】
まず、ステップ４０１、ステップ４０２、ステップ４０３、ステップ４０４、ステップ４０５およびステップ４０６は図４と同様である。ただし、ステップ４０６の次にはステップ５２０に進む。
【００６１】
次にステップ５２０において、最小受信レベルのチャンネルを使用している送信装置および受信装置に対し、接続要求を行う。すなわち、送信装置２１１および受信装置２１２に対して、チャンネル３６を用いて接続要求を制御信号として送信する。
【００６２】
次にステップ５２１において、接続要求を行った送信装置および受信装置に接続できたかを判定する。送信装置２１１および受信装置２１２が受信装置２５２を接続可能装置として登録していない場合は接続拒否されるので、この場合はステップ４０５に戻り、他のチャンネルのレベル判定を行う。送信装置２１１および受信装置２１２が受信装置２５２を接続可能装置として登録してある場合は接続状態となるので、ステップ４０９に進む。
【００６３】
次にステップ４０９において、図４と同様に送信装置における送信レベルおよび受信装置における受信レベルの値を取得する。ただし、無線接続状態であるため、レベル取得はネットワークインタフェース１１９および１２９を経由せず、制御信号の無線伝送により取得を行う。
【００６４】
次のステップ４１０およびステップ４１１の制御は図４と同様である。
【００６５】
次にステップ５２２において、最小受信レベルのチャンネルを使用している送信装置および受信装置に対し、接続解除要求を行う。すなわち、送信装置２１１および受信装置２１２に対して、チャンネル３６を用いて接続解除要求を制御信号として送信する。この制御により、送信装置２１１および受信装置２１２との接続は解除され、送信装置２５１および受信装置２５２は独立した伝送を行うことが可能となる。
【００６６】
続いてステップ４１２において、ステップ４０４と同様に変調信号の送信を開始する。
【００６７】
またステップ４０５およびステップ４１０において使用可能なチャンネルが確保できなかった場合は、ステップ４１６において図４と同様制御を行う。
【００６８】
上記説明した本実施例によれば、チャンネルが全て他の既存装置によって使用されている場合においても、送信レベルを下げることでそのチャンネルを再利用することが可能な送信装置を判定し送信レベルを制御することにより、新たに追加する送信装置および受信装置のための伝送チャンネルを確保し、送信装置から送信された変調信号を受信装置が受信し映像信号を表示することができる。さらに、ネットワークインタフェース部が接続されていない環境においても、映像伝送のための無線処理部のみを使用して、上記効果を得ることができる。
【符号の説明】
【００６９】
１１…受信装置、１１１…映像信号源、１１２…映像信号処理部、１１３…伝送信号処理部、１１４…変復調選局部、１１５…受信用増幅部、１１６…送信用増幅部、１１７…アンテナ、１１８…制御部、１１９…ネットワークインタフェース部、１２…受信装置、１２１…映像表示部、１２２…映像信号処理部、１２３…伝送信号処理部、１２４…変復調選局部、１２５…受信用増幅部、１２６…送信用増幅部、１２７…アンテナ、１２８…制御部、１２９…ネットワークインタフェース部。
【図１】
0005544328.tif 000002
【図２】
0005544328.tif 000003
【図３】
0005544328.tif 000004
【図４】
0005544328.tif 000005
【図５】
0005544328.tif 000006
【図６】
0005544328.tif 000007